(57)【要約】発展型ユニバーサル地上無線アクセス・ネットワーク（Ｅ−ＵＴＲＡＮ）システムにおいて、マルチメディア・ブロードキャスト・マルチキャスト・サービス（ＭＢＭＳ）データが、レイヤ構造のＭＢＭＳデータを再構築することをユーザ機器に可能にする情報を含む制御情報とともにレイヤ構造のデータとして送信される。
2011501610.tif 000002
【特許請求の範囲】
【請求項１】
マルチメディア・ブロードキャスト・マルチキャスト・サービス（ＭＢＭＳ）データを送信する発展型ユニバーサル地上無線アクセス・ネットワーク（Ｅ−ＵＴＲＡＮ）システム（２００）であって、
‐レイヤ構造のデータとして前記ＭＢＭＳデータを送信する手段（２０１）と、
−ユーザ機器（２０３）が前記レイヤ構造のＭＢＭＳデータを再構築することを可能にする情報を含む制御情報を送信するシグナリング手段（２０２）と
を備えることを特徴とするシステム（２００）。
【請求項２】
前記制御情報は、同一のＭＢＭＳサービスに属する相異なる複数のレイヤの送信を結合するシグナリングを含むことを特徴とする請求項１に記載のシステム。
【請求項３】
送信されるデータが属するレイヤを示すためのエンティティ（２０２）をさらに備えることを特徴とする請求項１又は２に記載のシステム。
【請求項４】
送信されるデータが属するレイヤを示すための前記エンティティは、ＭＢＭＳポイント・ツー・マルチポイント制御チャネル（ＭＣＣＨ）上で表示を送信するように構成されることを特徴とする請求項３に記載のシステム。
【請求項５】
送信されるデータが属するレイヤを示すための前記エンティティは、Ｌ１／Ｌ２制御シグナリングを介して表示を送信するように構成されることを特徴とする請求項３に記載のシステム。
【請求項６】
送信されるデータが属するレイヤを示すための前記エンティティは、媒体アクセス制御（ＭＡＣ）ヘッダ内で表示を送信するように構成されることを特徴とする請求項３に記載のシステム。
【請求項７】
前記ＵＥ（２０３）は、チャネル品質に関するフィードバック情報を送信するように構成されることを特徴とする請求項１乃至６の何れか１項に記載のシステム。
【請求項８】
前記システムは、前記ＵＥから受信された前記チャネル品質に関する情報に基づいてトランスポート・フォーマットを選択するように構成されることを特徴とする請求項７に記載のシステム。
【請求項９】
前記システムは、トランスポート・フォーマットを選択する際に通常のハンドオーバ測定値報告を入力情報として用いるように構成されることを特徴とする請求項８に記載のシステム。
【請求項１０】
前記システムは、前記ＭＢＭＳデータの相異なる複数のレイヤを送信するために、相異なる複数のトランスポート・フォーマットと相異なる複数の送信電力との少なくとも一方を用いるように構成されることを特徴とする請求項１乃至９の何れか１項に記載のシステム。
【請求項１１】
前記システムは、下位メディア・レイヤよりも低い電力で上位メディア・レイヤを送信するように構成されることを特徴とする請求項１０に記載のシステム。
【請求項１２】
前記システムがマルチブロードキャスト単一周波数ネットワーク（ＭＢＳＦＮ）の送信モードにおいて構成される場合に、前記システムは所与のＭＢＳＦＮエリアにおいてＭＢＳＦＮモードで前記ＭＢＭＳデータの基本レイヤ又は下位レイヤを送信するように構成されることを特徴とする請求項１乃至１１の何れか１項に記載のシステム。
【請求項１３】
前記システムは、フィードバックあり又はなしの単一セル・ポイント・ツー・マルチポイント（ＰＴＭ）モードで上位レイヤ・メディア・コンポーネントを送信するように構成されることを特徴とする請求項１２に記載のシステム。
【請求項１４】
前記システムは、所与の基地局におけるトラヒック負荷と、ＵＥフィードバック情報と、隣接セルへ与える干渉との少なくとも何れかに基づいて、単一セル・ポイント・ツー・マルチポイント（ＰＴＭ）モードで上位レイヤ・メディア・コンポーネントを送信するように構成されることを特徴とする請求項１３に記載のシステム。
【請求項１５】
前記システムは、基地局間の交渉を介して又は中央ＭＢＭＳ制御（ＭＣＥ）エンティティからの調整を介して、過度の干渉を回避するために、隣接セルにおけるＰＴＭ割り当てを調整するように構成されることを特徴とする請求項１３又は１４に記載のシステム。
【請求項１６】
発展型ユニバーサル地上無線アクセス・ネットワーク（Ｅ−ＵＴＲＡＮ）システム（２００）においてマルチメディア・ブロードキャスト・マルチキャスト・サービス（ＭＢＭＳ）データを送信する方法であって、
‐レイヤ構造のデータとして前記ＭＢＭＳデータを送信するステップ（２０５，２０７）と、
−ユーザ機器（２０３）が前記レイヤ構造のＭＢＭＳデータを再構築することを可能にする、前記システムからの制御情報をシグナリングするステップ（２０５，２０７）と
を有することを特徴とする方法。
【請求項１７】
前記制御情報は、同一のＭＢＭＳサービスに属する相異なる複数のレイヤの送信を結合するシグナリングを含むことを特徴とする請求項１６に記載の方法。
【請求項１８】
送信されるデータが属するレイヤを示すデータが送信されることを特徴とする請求項１６又は１７に記載の方法。
【請求項１９】
送信されるデータが属するレイヤを示す表示が、ＭＢＭＳポイント・ツー・マルチポイント制御チャネル（ＭＣＣＨ）上で送信されることを特徴とする請求項１８に記載の方法。
【請求項２０】
送信されるデータが属するレイヤを示す表示が、Ｌ１／Ｌ２制御シグナリングを介して送信されることを特徴とする請求項１８に記載の方法。
【請求項２１】
送信されるデータが属するレイヤを示す表示が、媒体アクセス制御（ＭＡＣ）ヘッダ内で送信されることを特徴とする請求項１８に記載の方法。
【請求項２２】
チャネル品質に関するフィードバック情報が前記ＵＥから前記システムへ送信されることを特徴とする請求項１６乃至２１の何れか１項に記載の方法。
【請求項２３】
前記ＵＥから受信された前記チャネル品質に関する情報に基づいてトランスポート・フォーマットが選択されることを特徴とする請求項２２に記載の方法。
【請求項２４】
トランスポート・フォーマットを選択する際に通常のハンドオーバ測定値報告が入力情報として用いられることを特徴とする請求項２３に記載の方法。
【請求項２５】
前記ＭＢＭＳデータの相異なる複数のレイヤを送信するために、相異なる複数のトランスポート・フォーマットと相異なる複数の送信電力との少なくとも一方が用いられることを特徴とする請求項１６乃至２４の何れか１項に記載の方法。
【請求項２６】
下位メディア・レイヤよりも低い電力で上位メディア・レイヤが送信されることを特徴とする請求項２５に記載の方法。
【請求項２７】
前記システムがマルチブロードキャスト単一周波数ネットワーク（ＭＢＳＦＮ）の送信モードにおいて構成される場合に、所与のＭＢＳＦＮエリアにおいてＭＢＳＦＮモードで前記ＭＢＭＳデータの基本レイヤ又は下位レイヤが送信されることを特徴とする請求項１６乃至２６の何れか１項に記載の方法。
【請求項２８】
フィードバックあり又はなしの単一セル・ポイント・ツー・マルチポイント（ＰＴＭ）モードで上位レイヤ・メディア・コンポーネントが送信されることを特徴とする請求項２７に記載の方法。
【請求項２９】
基地局についての現在のトラヒック負荷と、ＵＥフィードバック情報と、隣接セルへ与える干渉との少なくとも何れかに基づいて、単一セル・ポイント・ツー・マルチポイント（ＰＴＭ）モードで上位レイヤ・メディア・コンポーネントが送信されることを特徴とする請求項２８に記載の方法。
【請求項３０】
基地局間の交渉を介して又は中央ＭＢＭＳ制御（ＭＣＥ）エンティティからの調整を介して、過度の干渉を回避するために、隣接セルにおけるＰＴＭ割り当てが調整されることを特徴とする請求項２８又は２９に記載の方法。
【請求項３１】
マルチメディア・ブロードキャスト・マルチキャスト・サービス（ＭＢＭＳ）データを送信する発展型ユニバーサル地上無線アクセス・ネットワーク（Ｅ−ＵＴＲＡＮ）システムで用いる基地局（２０１）であって、
‐レイヤ構造のデータとして前記ＭＢＭＳデータを送信する手段（２０１）と、
−ユーザ機器が前記レイヤ構造のＭＢＭＳデータを再構築することを可能にする情報を含む制御情報を送信するシグナリング手段（２０２）と
を備えることを特徴とする基地局（２０１）。
【請求項３２】
前記制御情報は、同一のＭＢＭＳサービスに属する相異なる複数のレイヤの送信を結合するシグナリングを含むことを特徴とする請求項３１に記載の基地局。
【請求項３３】
送信されるデータが属するレイヤを示すためのエンティティをさらに備えることを特徴とする請求項３１又は３２に記載の基地局。
【請求項３４】
送信されるデータが属するレイヤを示すための前記エンティティは、ＭＢＭＳポイント・ツー・マルチポイント制御チャネル（ＭＣＣＨ）上で表示を送信するように構成されることを特徴とする請求項３３に記載の基地局。
【請求項３５】
送信されるデータが属するレイヤを示すための前記エンティティは、Ｌ１／Ｌ２制御シグナリングを介して表示を送信するように構成されることを特徴とする請求項３３に記載の基地局。
【請求項３６】
送信されるデータが属するレイヤを示すための前記エンティティは、媒体アクセス制御（ＭＡＣ）ヘッダ内で表示を送信するように構成されることを特徴とする請求項３３に記載の基地局。
【請求項３７】
前記基地局は、前記Ｅ−ＵＴＲＡＮシステム内のＵＥからチャネル品質に関するフィードバック情報を受信するように構成されることを特徴とする請求項３１乃至３６の何れか１項に記載の基地局。
【請求項３８】
前記基地局は、前記ＵＥから受信された前記チャネル品質に関する情報に基づいてトランスポート・フォーマットを選択するように構成されることを特徴とする請求項３７に記載の基地局。
【請求項３９】
前記基地局は、トランスポート・フォーマットを選択する際に通常のハンドオーバ測定値報告を入力情報として用いるように構成されることを特徴とする請求項３８に記載の基地局。
【請求項４０】
前記基地局は、前記ＭＢＭＳデータの相異なる複数のレイヤを送信するために、相異なる複数のトランスポート・フォーマットと相異なる複数の送信電力との少なくとも一方を用いるように構成されることを特徴とする請求項３１乃至３９の何れか１項に記載の基地局。
【請求項４１】
前記基地局は、下位メディア・レイヤよりも低い電力で上位メディア・レイヤを送信するように構成されることを特徴とする請求項４０に記載の基地局。
【請求項４２】
前記システムがマルチブロードキャスト単一周波数ネットワーク（ＭＢＳＦＮ）の送信モードにおいて構成される場合に、前記基地局は所与のＭＢＳＦＮエリアにおいてＭＢＳＦＮモードで前記ＭＢＭＳデータの基本レイヤ又は下位レイヤを送信するように構成されることを特徴とする請求項３１乃至４１の何れか１項に記載の基地局。
【請求項４３】
前記基地局は、フィードバックあり又はなしの単一セル・ポイント・ツー・マルチポイント（ＰＴＭ）モードで上位レイヤ・メディア・コンポーネントを送信するように構成されることを特徴とする請求項４２に記載の基地局。
【請求項４４】
前記基地局は、所与の基地局におけるトラヒック負荷と、ＵＥフィードバック情報と、隣接セルへ与える干渉との少なくとも何れかに基づいて、単一セル・ポイント・ツー・マルチポイント（ＰＴＭ）モードで上位レイヤ・メディア・コンポーネントを送信するように構成されることを特徴とする請求項４３に記載の基地局。
【請求項４５】
前記基地局は、基地局間の交渉を介して又は中央ＭＢＭＳ制御（ＭＣＥ）エンティティからの調整を介して、過度の干渉を回避するために、隣接セルにおけるＰＴＭ割り当てを調整するように構成されることを特徴とする請求項４３又は４４に記載の基地局。
【請求項４６】
マルチメディア・ブロードキャスト・マルチキャスト・サービス（ＭＢＭＳ）データを送信する発展型ユニバーサル地上無線アクセス・ネットワーク（Ｅ−ＵＴＲＡＮ）システムで用いるユーザ機器（２０３）であって、
‐レイヤ構造のデータとして前記ＭＢＭＳデータを受信する手段（２０３）と、
−前記ユーザ機器（ＵＥ）が前記レイヤ構造のＭＢＭＳデータを再構築することを可能にする情報を含む制御情報を受信する手段（２０３）と
を備えることを特徴とするユーザ機器（２０３）。
【請求項４７】
前記制御情報は、同一のＭＢＭＳサービスに属する相異なる複数のレイヤの送信を結合するシグナリングを含むことを特徴とする請求項４６に記載のユーザ機器。
【請求項４８】
ＵＥは、送信されるデータが属するレイヤを示す表示を、ＭＢＭＳポイント・ツー・マルチポイント制御チャネル（ＭＣＣＨ）上で受信するように構成されることを特徴とする請求項４６又は４７に記載のユーザ機器。
【請求項４９】
ＵＥは、送信されるデータが属するレイヤを示す表示を、Ｌ１／Ｌ２制御シグナリングを介して受信するように構成されることを特徴とする請求項４６又は４７に記載のユーザ機器。
【請求項５０】
ＵＥは、送信されるデータが属するレイヤを示す表示を、媒体アクセス制御（ＭＡＣ）ヘッダ内で受信するように構成されることを特徴とする請求項４６又は４７に記載のユーザ機器。
【請求項５１】
前記ＵＥは、チャネル品質に関するフィードバック情報を送信するように構成されることを特徴とする請求項４６乃至５０の何れか１項に記載のユーザ機器。
【請求項５２】
前記システムがマルチブロードキャスト単一周波数ネットワーク（ＭＢＳＦＮ）の送信モードにおいて構成される場合に、前記ユーザ機器は所与のＭＢＳＦＮエリアにおいてＭＢＳＦＮモードで前記ＭＢＭＳデータの基本レイヤ又は下位レイヤを受信するように構成されることを特徴とする請求項４６乃至５１の何れか１項に記載のユーザ機器。
【請求項５３】
前記ユーザ機器は、フィードバックあり又はなしの単一セル・ポイント・ツー・マルチポイント（ＰＴＭ）モードで上位レイヤ・メディア・コンポーネントを受信するように構成されることを特徴とする請求項５２に記載のユーザ機器。
【発明の詳細な説明】
【技術分野】
【０００１】
本発明は発展型ユニバーサル地上無線アクセス・ネットワーク（Ｅ−ＵＴＲＡＮ）システムにおいてマルチメディア・ブロードキャスト・マルチキャスト・サービス（ＭＢＭＳ）データを送信するための方法及びシステムに関する。
【背景技術】
【０００２】
セルラ無線ネットワークのような無線ネットワーク上のマルチメディア・ブロードキャスト／マルチキャスト・サービスが、特に移動体ハンドヘルド装置が無線ネットワークを介してマルチメディア・コンテンツを受信できるようになってから、幅広く広がってきている。しかしながら、無線チャネル上でハンドヘルド装置へマルチメディアを配信することは多くの問題を引き起こすことが示されてきた。例えば、加入者は同一のコンテンツを受信しつつ、様々なチャネル品質を経験するかもしれない。さらに、各ユーザはメディアの取り得る最高品質を望む。
【０００３】
ネットワーク状況の変更へブロードキャスト／マルチキャスト・ストリームを適応させることを可能にするレイヤ構造のスケーラブルなコーデックが開発されてきている。レイヤ構造のメディアは基本レイヤと、下位レイヤに品質の精錬をそれぞれが提供する複数の拡張レイヤとから構成される。基本レイヤは通常、受信機に最小の品質を提供するためにデコーダにより要求される最小の情報を伝える。各追加レイヤはこの最小の認識される品質を、例えば毎秒の再生フレームを向上することや画面解像度を拡張することによって精錬してもよい。
【０００４】
さらに、変更されたネットワーク状況によって送信可能なレイヤのみを転送することによってスマートな帯域幅適応が実現されうる。また、レイヤ構造のメディアは、ネットワークが例えば様々なディスプレイ・サイズを有する同一セッション内の複数の異種の受信機を処理することを可能にする。
【０００５】
これらのコーデックの存在にもかかわらず、マルチメディア・フローの適応が配信技術やアクセス・ネットワークによってもサポートされなければならない。
【０００６】
ここで、ロングタームエボリューション（ＬＴＥ）と呼ばれることもあるＥ−ＵＴＲＡＮにおいてマルチメディア・ブロードキャスト・マルチキャスト・サービス（ＭＢＭＳ）の送信をサポートするために必要な機能は３ＧＰＰ標準化団体において議論され定義されている。ＵＴＲＡＮにおけるＭＢＭＳサービス配信と比較した重要な違いはＥ−ＵＴＲＡＮアーキテクチャの分散特性に由来する。Ｅ−ＵＴＲＡＮでは、スケジューリングを含む無線リソース管理機能は発展型ノードＢ（ｅノードＢ）すなわち基地局に配置され、無線リソース制御が無線ネットワーク制御装置（ＲＮＣ）に中央的に配置されるＵＴＲＡＮとは対照的である。従って、（単一周波数ネットワーク、すなわち単一周波数ネットワーク（ＳＦＮ）又はマルチブロードキャスト単一周波数ネットワーク（ＭＢＳＦＮ）とも呼ばれる）複数のセルからの調整され同期された送信を要求するかもしれないＭＢＭＳ送信について、付加的な中央制御エンティティがアーキテクチャに追加されている。現在提案されているＭＢＭＳアーキテクチャが図１に示される。
【０００７】
図１では、ＢＭ−ＳＣはブロードキャスト・マルチキャスト・サービス・センタであり、これはマルチメディア・コンテンツを提供するアプリケーション・レベル・サーバである。ＭＢＭＳゲートウェイ（ＧＷ）は、コンテンツ同期やマルチキャストＩＰトランスポート上での関連するｅノードＢへのデータの配信のような機能を含むＭＢＭＳデータのユーザ・プレーン処理を担当する。ＭＢＭＳ  ＧＷはまた、サービスの開始及び停止に関する制御を実行し、アクセス・アグノスティック・マルチメディア・コンテンツ・ソースとＬＴＥ固有アクセス・ネットワークとの間の仲介役として動作する。
【０００８】
ＭＢＭＳ制御エンティティ（ＭＣＥ）は無線リソース制御エンティティであり、これは主にＳＦＮ送信モードの場合に複数のセルを介して無線リソースの調整された割り当てを担当する。
【０００９】
現在、ＬＴＥネットワークにおいてＭＢＭＳコンテンツを配信する三つの主な送信方法が標準で規定される。これらは以下のものである。
【００１０】
単一周波数ネットワーク（ＳＦＮ）送信：
この送信モードでは、様々なセルから到着する物理信号がユーザ機器（ＵＥ）においてソフト結合されうるように、時間同期された方式で複数のセルにおいて同一のマルチメディア・コンテンツが送信される。
【００１１】
フィードバックなしの単一セルＰＴＭ（ポイント・ツー・マルチポイント）送信：
このモードでは、セルにおける送信は所与のセル内のユーザだけを宛先とする。言い換えると、複数のセルからの送信に調整は存在しない。これはまた、ｅノードＢがＭＢＭＳ送信について費やす無線リソースを自身の特定のｅノードＢが制御できること、すなわちスケジューリングを実行可能なことを意味する。ＵＥからのリンク品質、受信の成功／失敗に関するフィードバック情報は利用可能でない。
【００１２】
フィードバックありの単一セルＰＴＭ送信：
このモードは、ＵＥからのリンク品質及び／又は受信の成功／失敗に関するフィードバック情報を送信することが可能である単一セルＰＴＭ送信と同じである。ＵＥからのフィードバック情報を利用することは、それに応じて送信を最適化し、その結果として無線リソースをより効率的に利用することに役立ちうる。
【００１３】
無線インタフェース上のＭＢＭＳデータのトランスポートについて、標準は現在のところ、ＳＦＮ送信が可能なＭＣＨトランスポート・チャネルと、ＭＢＭＳ制御チャネル（ＭＣＣＨ）論理チャネル及びＭＢＭＳトラヒック・チャネル（ＭＴＣＨ）論理チャネルを規定する。ＭＣＣＨ論理チャネル及びＭＴＣＨ論理チャネルはＭＣＨトランスポート・チャネルにマッピングされる。オプションとして、ユニキャスト・トラヒックを配信するために用いられる通常の下りリンク共有チャネル（ＤＬ−ＳＣＨ）へこれらの論理チャネルをマッピングすることも可能であってもよい。これは、ＳＦＮ送信モードが用いられず、それによりＭＣＨトランスポート・チャネルが省略されうる単一セル送信の場合に可能であるかもしれない。ＭＴＣＨチャネルは実ＭＢＭＳデータを伝える。ＭＣＣＨチャネルは、ＭＴＣＨチャネルの受信に必要な制御情報を伝える。ＭＣＣＨは、開始されるセッションについてのセッション／サービス識別子を含み、すなわちサービスの開始の告知、進行中のサービスの識別子、スケジューリング情報などを含む。
【先行技術文献】
【特許文献】
【００１４】
【特許文献１】ＰＣＴ／ＥＰ２００５／００９３８７号パンフレット
【発明の概要】
【発明が解決しようとする課題】
【００１５】
今日、Ｅ−ＵＴＲＡＮ無線システムの性能を改良することが可能な方法及びシステムが必要である。
【００１６】
本発明の一つの目的は、既存のＥ−ＵＴＲＡＮシステムを改良することである。
【００１７】
本発明の別の目的は、Ｅ−ＵＴＲＡＮシステムがレイヤ構造のメディアストリームの効率的な送信を提供することを可能にする、既存のＥ−ＵＴＲＡＮ送信モードの拡張を提供する方法、システム及び装置を提供することである。
【課題を解決するための手段】
【００１８】
これらの及びその他の目的は、レイヤ構造のＭＢＭＳデータを送信するＥ−ＵＴＲＡＮによって得られ、本システムはさらにユーザ機器（ＵＥ）がレイヤ構造のＭＢＭＳデータを再構築することを可能にする情報を含む制御情報を送信するためのシグナリング手段を有する。
【００１９】
従って、Ｅ−ＵＴＲＡＮのＭＢＭＳにおいてマルチキャストされうるレイヤ構造の／スケーラブルなマルチメディアを得るために、シグナリング・ユニットは例えばｅノードＢにおいて提供され、ユーザへ制御情報を提供するように構成され、ユーザは相異なるレイヤにおいて送信されるメディアストリームを再構築することができる。例えば、制御情報は、同一のＭＢＭＳサービスに属する様々なレイヤの送信を結合するセッション開始及びシグナリングを含んでもよく、場合によっては様々な送信メソッドですなわちハイブリッド・ケースにおいて送信される。よって、同一のサービスに属する様々なレイヤの送信をどこでＵＥが見つけることができるかをＵＥへシグナリングすることによって、レイヤ構造の／スケーラブルなマルチメディアがＵＥへ送信されうる。
【００２０】
一つの実施形態では、システムは、送信されるデータが属するレイヤを示すためのエンティティを備える。エンティティは例えばｅノードＢに配置されてもよい。このような表示はＭＢＭＳポイント・ツー・マルチポイント制御チャネル（ＭＣＣＨ）、例えばスケジューリング情報の一部として送信されえ、又は通常のＬＤ−ＳＣＨがＭＢＭＳ送信に用いられる場合にＬ１／Ｌ２制御シグナリングを介して示されうる。Ｌ１／Ｌ２制御シグナリングの場合に、レイヤ情報は、ＤＬ−ＳＣＨ上の送信の受信をアドレス指定する際に、レイヤごとに相異なるグループの無線ネットワーク一時識別子（ＲＮＴＩ）としてシグナリングされうる。なおも別の代替では、媒体アクセス制御（ＭＡＣ）ヘッダにおいてレイヤ情報がシグナリングされうる。
【００２１】
別の実施形態では、ＵＥからのチャネル品質に関するフィードバック情報がＵＥからｅノードＢへ送信される。このようなフィードバック情報で、より最適化されたレイヤ構造のメディア配信が、ユーザ知覚品質と、無線リソース利用率との両方の観点から達成されうる。
【００２２】
また、ＵＥから受信されたフィードバック情報が用いられる場合に、（ハンドオーバで用いられるものと同様の）基準信号電力測定値報告が有利には、どのレイヤが及び／又はどのトランスポート・フォーマットで送信するかを決定するための情報として用いられるために、ＵＥからｅノードＢへ送信されうる。
【００２３】
従って、送信の間に様々なメディア・レイヤの区別された処理に必要となる、Ｅ−ＵＴＲＡＮに規定された様々なＭＢＭＳ送信モードのそれぞれについてシグナリング・チャネル、プロトコル等（例えば、ＭＣＣＨチャネル上の情報要素、シグナリング手段）へサポートを追加することによって、どのメディアストリームのコンポーネントを送信するか及び送信電力、符号化などのようなどの送信パラメータを用いるかを決定する際に、受信するＵＥの無線チャネル品質を考慮に入れることができる。
【００２４】
例えば、チャネル品質報告のようなフィードバックあり又はなしの単一セルＰＴＭ送信モードでメディア・レイヤが送信される場合に、ｅノードＢは，どのレイヤが送信されるか及び各配信レイヤにどのトランスポート・フォーマット及び送信電力を適用するかを決定することが可能になる。ｅノードＢは決定できるため、ＭＣＥが含まれる必要はない。これは、非中央化された解決策とみなすことができる。さらに最適化は、ＵＥが自身の実経験の無線品質を報告する場合に強化される。このフィードバック情報は、メディア・レイヤをどのように配信するかに関するより正確な情報をｅノードＢへ与えうる。
【００２５】
別の例では、既存のＭＢＳＦＮ解決策と単一セルＰＴＭ送信モードとが組み合わされる。この場合において、より重要なレイヤ、例えば基本レイヤをＭＢＳＦＮモードで送信し、他のすべてのレイヤが単一セルＰＴＭモードで送信されうる。
【００２６】
言い換えると、ｅノードＢは、サービスに興味を持つＵＥの数、ＵＥチャネル品質報告、利用可能なセルリソースなどのような情報に基づいて自身のセルにおいてブロードキャストすることを望む拡張レイヤの集合を決定するために設定されうるが、最小の品質がＭＢＳＦＮ送信によって提供される。
【００２７】
本発明はまた、Ｅ−ＵＴＲＡＮシステムにおいてレイヤ構造のデータを送信するための方法及び本システムで用いられるように構成されたユーザ機器へも及ぶ。さらに、本方法は、上記に従ってＥ−ＵＴＲＡＮにおいてレイヤ構造のデータを送信するように構成された基地局へも及ぶ。
【００２８】
本明細書で説明される方法及びシステムを用いることは、Ｅ−ＵＴＲＡＮブロードキャスト・システムにおけるメディアストリーム品質及び用いられる無線リソースの最適化を可能にする。ブロードキャストされるメディアの品質は、エンドユーザの実無線チャネル品質及びセル内の利用可能なリソースに調整されうる。提案される方法及びシステムはさらに、Ｅ−ＵＴＲＡＮのＭＢＭＳシステムがレイヤ構造のメディア・マルチキャストのためのリソースを節約して無線インタフェースをよりよく利用することを可能にする。
【図面の簡単な説明】
【００２９】
【図１】Ｅ−ＵＴＲＡＮシステムの一般的な図である。
【図２】第１の実施形態に従うレイヤ構造のマルチメディア・データの送信を説明する図である。
【図３】第２の実施形態に従うレイヤ構造のマルチメディア・データの送信を説明する図である。
【図４】第３の実施形態に従うレイヤ構造のマルチメディア・データの送信を説明する図である。
【図５】レイヤ構造のデータの送信のタイミングを説明する図である。
【図６】レイヤ構造のマルチメディア・データを送信するように構成されたＥ−ＵＴＲＡＮシステムの図である。
【発明を実施するための形態】
【００３０】
本発明は非限定的な例示の方法により添付の図面を参照しつつ、より詳細に説明される。
【００３１】
ＳＦＮ送信のためにレイヤ構造のマルチメディアが用いられる場合に、システムはマルチメディア・ストリームのレイヤのそれぞれに対して異なるＭＢＳＦＮエリアを規定する必要がある。メディアストリームの上位レイヤがブロードキャストされるＭＢＳＦＮエリアは、下位レイヤがブロードキャストされるＭＢＳＦＮエリアの部分集合である。これは例えば、ネットワークの所定の部分、例えばホットスポットにおいてだけメディアストリームの上位レイヤがブロードキャストされて高品質なメディアの受信を可能にするが、ネットワークの残り部分、例えばマクロセルにおいてメディアストリームの基本レイヤだけがブロードキャストされるユースケースを可能にするだろう。特許文献１も参照されたい。
【００３２】
ＭＢＳＦＮにおいてレイヤ構造のメディアを配信する際に送信を最適化する更なる可能性は、相異なる複数のレイヤの送信に対して相異なる複数のトランスポート・フォーマット、即ち変調及び符号化を用いることである。特許文献１も参照されたい。それによって、ＭＢＳＦＮ送信に費やされる無線リソースの量は受信メディアストリームの品質における妥協を引き換えにして低減されうる。すなわち、ＭＢＳＦＮエリア全域において最高品質でメディアストリームを受信されえないという犠牲を払って、ＭＢＳＦＮブロードキャストで費やされる一部の無線リソースが節約されうる。これは、レイヤ構造のメディアの概念を介して利用されうるトレードオフである。
【００３３】
しかしながら、Ｅ−ＵＴＲＡＮについて提案されたＭＢＭＳサービスの現在の仕様はＭＢＭＳデータを送信する際にレイヤ構造のメディアを許容しない。ＭＢＳＦＮ送信モード概念によるＭＢＭＳにおけるレイヤ構造のメディアを配信する単刀直入な解決策が存在するものの、このような方法は、システムが様々なレイヤの送信の最適化においてＵＥフィードバックを考慮に入れることを可能にせず、レイヤ構造のメディア配信を最適化する際に、単一セル送信モードと、これらのＭＢＳＦＮ送信との組み合わせとを検討しない。
【００３４】
メディアストリームにおける様々なレイヤの相異なる様々な必要性を検討しないことによって、Ｅ−ＵＴＲＡＮのＭＢＭＳ送信の方法は、様々なメディアストリーム・レイヤに必要な無線リソースを適応させることができず、従って無線リソースのよりよい利用率を実現することができないだろう。
【００３５】
図２〜図４を参照しつつ、本発明に従って、シグナリング・チャネル、プロトコル等、例えばＭＣＣＨチャネル上の情報要素、及びＥ−ＵＴＲＡＮシステム２００について規定された様々なＭＢＭＳ送信モードのそれぞれのためのシグナリング手段２０２へサポートが追加される。シグナリング手段２０２は送信の間に様々なメディア・レイヤの区別された処理に必要となる。Ｅ−ＵＴＲＡＮシステムにおけるＭＢＭＳ送信へのサポートの追加は、送信するメディアストリームのコンポーネント、使用する送信電力、符号化等のようなどの送信パラメータを決定する際に、ＵＥ２０３を受信する無線チャネル状況を考慮に入れることを可能にする。以下に様々な送信モードについての送信が説明される。
【００３６】
フィードバックなしの単一セルＰＴＭモードでは、レイヤ構造のメディアのアプリケーションは、システムがメディアストリームの異なる複数のレイヤのブロードキャストに対して相異なる複数のトランスポート・フォーマット及び／又は送信電力を用いることを可能にする。図２を参照して、基本レイヤ又は下位レイヤは、セル・エッジにおいてさえも高い確率で送信が受信されうるように、ｅノードＢ２０１からＵＥ２０３へのデータストリーム２０５において十分な高さの電力で、そして適切なフォーマットでブロードキャストされうる。そして、上位メディア・レイヤは、隣接セルに与える干渉を減らすためにデータストリーム２０７において低い電力で、及び／又はセルの無線リソースを節約するために低い保護のトランスポート・フォーマットでブロードキャストされうる。
【００３７】
フィードバックなしの単一セルＰＴＭモードでは、ｅノードＢ２０１はまた、十分なリソースを有していない場合又は許容できない高い干渉が隣接セルに与えられる場合に、上位メディア・レイヤの送信を費やすことが可能にされてもよい。（例えば干渉を制御するために）隣接セルにおいてＰＴＭ送信のために用いられるリソースの調整について、ＭＣＥが隣接セルにおけるＰＴＭ送信にために用いられる無線リソースを調整しうるか、隣接ｅノードＢ群がそれらの間で無線リソースを交渉しうるかのどちらかである。
【００３８】
一つの実施形態によれば、各トランスポート・ブロックについて、それが属するレイヤの表示が無線インタフェース上で送信される。これにより、ＵＥは適切なトランスポート・フォーマットに従ってトランスポート・ブロックを復号できる。この目的のために、ＭＣＣＨ上で送信されるスケジューリング情報の一部としてレイヤ情報を示すことが可能である。または、別の実施形態によれば、ＭＣＣＨ／ＭＴＣＨ論理チャネルがＤＬ−ＳＣＨにマッピングされる場合に、ＤＬ−ＳＣＨにおいてスケジュールされたＵＥをアドレス指定するために用いられるＬ１／Ｌ２制御シグナリングを介してレイヤ情報が示されうる。これは例えばＤＬ−ＳＣＨ上で送信されるデータの受信をアドレス指定する際に、各レイヤについて個別のグループＲＴＮＩ（無線ネットワーク一時識別子）を用いることによって実行されうる。
【００３９】
フィードバックありの単一セルＰＴＭ送信モードでは、フィードバックなしの場合と同様の解決策が適用されうる。しかしながら、さらに、ＵＥ２０３はメッセージ２０９においてチャネル状況に関するフィードバック情報を送信するように構成されうる。後続のデータ送信２１１、２１３において様々なレイヤの送信に用いられるトランスポート・フォーマットや送信電力のような送信パラメータを選択する際に、ｅノードＢ２０１はまたＵＥからのフィードバック情報を用いうる。本選択は、そもそも所定のレイヤへ送信するかに関する決定を含んでもよい。同様に、フィードバックなしの単一セルＰＴＭモードにおいて、所与のレイヤの送信はまた、隣接セルに与える干渉状況に依存しうる。
【００４０】
ＵＥは、ＵＥへの経路損失を推定し、それに従って送信電力及び／又はトランスポート・フォーマットを設定するためにｅノードＢによって用いられうる測定された基準信号電力に関するフィードバック情報を送信しうる。チャネル品質表示（ＣＱＩ）フィードバックのような他のフィードバック情報もこの目的のために用いられてもよい。さらに、スクリーン・サイズなどのようなＵＥ能力に関する情報も、ブロードキャストするレイヤを決定するためにｅノードＢにより用いられてもよい。
【００４１】
ＵＥから受信されたチャネル品質情報は、測定された基準信号電力のような通常のハンドオーバ測定値報告に基づきうる。ＵＥから受信されたチャネル品質情報はまた、ユニキャスト・トラヒックの場合にチャネル報告に用いられるのと同様の又は同一のチャネル品質表示（ＣＱＩ）報告に基づきうる。ＵＥはＭＢＭＳ受信に並行して進行中のユニキャスト・トラヒックを有してもよく、次いでユニキャスト・チャネル報告は同様にＭＢＭＳ目的のために用いられてもよい。
【００４２】
また、チャネル品質情報は、所与のサービスに興味を有するＵＥの数を識別するために用いられる計数メカニズムに結合されてもよい。この場合に、チャネル品質情報は、計数情報とともに送信されうる。
【００４３】
ＭＢＳＦＮ送信と単一セルＰＴＭ送信との組み合わせに関しうる、ＭＢＳＦＮと単一セルＰＴＭモードとのハイブリッド送信では、メディアストリームの基本レイヤ又は下位レイヤは送信２１５で所与のＭＢＳＦＮエリアにおいてＭＢＳＦＮモードで送信されうる。結果として、すべてのユーザはＭＢＳＦＮエリア全域において何らかの基本品質でメディアストリームを受信できるだろう。次いで、さらに、各ｅノードＢは送信２１７で単一セルＰＴＭモードで上位レイヤのメディア・コンポーネントをブロードキャストするように構成されてもよいし、されなくてもよい。これは、ＵＥ２０３からのフィードバックあり又はなしで実行されうる。これは、各ｅノードＢ２０１が自身の利用可能な無線リソースに基づいて、場合によってはＵＥからのフィードバック情報を用いて、上位レイヤをブロードキャストすることを望むかどうかを自立的に決定することを可能にする。
【００４４】
一つの実施形態によれば、基地局即ちｅノードＢは、上位レイヤを送信することを決定する際に、ユニキャストと既存のマルチキャストとの両方の自身のトラヒック負荷を考慮に入れうる。また、チャネル・フィードバックと計数情報との両方と場合によっては隣接セルに与える影響とであるＵＥフィードバック情報が、ＰＴＭ又はＭＢＳＦＮにおいてどのレイヤを送信するか又はＰＴＭモードでそもそも何かを送信するかどうかを基地局が決定する場合に、考慮に入れられうる。
【００４５】
単一セルＰＴＭモードで上位レイヤがブロードキャストされる時間周波数リソースは、例えばｅノードＢ内のスケジューラによって選択されうる。これらのリソースがｅノードＢにより自立的に選択される場合に、複数の隣接ｅノードＢのＰＴＭ送信は互いに干渉を与えるかもしれない。高い干渉レベルを回避するために、ｅノードＢはＰＴＭブロードキャストに費やされる最大電力を規制してもよく、またＵＥからのフィードバック情報に基づいて送信電力レベルを調整してもよい。一つの実施形態によれば、ＭＣＥはこのような干渉を回避するための調整役として動作するように構成されうる。
【００４６】
例えば、ＵＥは、ＵＥへの経路損失を取得してそれにより下りリンク送信電力を調整するためにｅノードＢによって用いられうる受信基準信号電力に関する測定値報告、例えばハンドオーバ測定値に用いられるのと同じものを送信してもよい。このフォードバックすなわち測定値報告は、シグナリング・ベアラ、例えば通常のＲＲＣプロトコル・シグナリングを介して、又はＭＢＭＳ計数手続きの一部として計数情報と組み合わせて送信されうる。
【００４７】
単一セルＰＴＭ送信モードで上位レイヤのメディア・コンポーネントを送信する際に、ｅノードＢは好適にはＭＢＳＦＮ送信に関連する送信のタイミングを考慮するように構成さる。それによって、上位のメディア・レイヤに属するデータがＵＥで受信される際に、まだ時期外れではなく、ＭＢＳＦＮ送信を介して受信される基本レイヤ・データと組み合わせてＵＥにおいてユーザへ提示されうる。ＵＥは必要ならば再生バッファにおいてパケットを並び換えしうる。しかしながら、これはＥ−ＵＴＲＡＮネットワークがＵＥの再生バッファの遅延トレランス以下に遅延を維持することを要求する。
【００４８】
サービスが開始されると、同一のサービスに属する相異なる複数のマルチメディア・レイヤの送信をＵＥがどこで見つけうるか、即ち所与のレイヤがＭＢＳＦＮモードで送信されるか又は単一セル・ブロードキャスト・モードで送信されるかが、ＵＥへシグナリングされなければならない。本シグナリングは、相異なる送信モードで送信される複数のレイヤ間の結合、すなわち相異なるストリーム（接続）の識別情報についての相異なる送信モードで用いられる複数のＩＤ間の結合の生成を提供しうる。このシグナリングは、周期的に繰り返されることが要求されてもよく、又は新たにセルに入った各ＵＥへ個別に送信されることを要求されてもよい。
【００４９】
図５はハイブリッド送信シナリオにおけるＭＢＳＦＮの無線インタフェース送信のタイムラインとＰＴＭトランスポート・ブロックとを示す。メディアの最小品質が（少なくとも）すべてのＵＥに提供されるので、セル・エッジのＵＥへさえも到達するようにＭＢＳＦＮモードで基本レイヤが送信されなければならないことが見て取れる。さらに、各セルにおいて、ｅノードＢはＰＴＭ送信モードによる上位レイヤの配信を最適化しうる。図２では、ＰＴＭモードが基本上の二つの拡張レイヤ（Ｅｎｈ＃１とＥｎｈ＃２）のために用いられる。
【００５０】
図６は個別のセルにおいてＰＴＭ送信を追加したＭＢＳＦＮ送信のネットワーク図を示す。基本レイヤはＭＢＳＦＮによりエリア全体に配信されるが、個別のセルは局所的に上位レイヤの送信を最適化しうる。
【００５１】
メディア・レイヤの最適化された配信について、発展型パケット・コア・ネットワークは好適には特定のＩＰパケットがどのレイヤに属するかに関するｅノードＢ情報を提供する。すなわち、ＩＰパケットは対応するレイヤＩＤを伝えるべきである。これは、ＧＴＰトンネルによって、又は相異なるＩＰマルチキャスト・グループ・アドレスへ各メディア・レイヤを送信することによって提供されうる。
【００５２】
ＧＴＰトンネルが用いられる場合に、ＭＢＭＳ  ＧＷとｅノードＢとの間のトンネルは送信される各レイヤについて確立されるべきである。ｅノードＢはどのトンネルがどのレイヤに対応するかを示されるべきである。
【００５３】
レイヤを区別するためにマルチキャスト・アドレスが用いられる場合に、所与のサービスに対応するＩＰマルチキャスト・アドレスの有効範囲がｅノードＢに示されるべきである。ＭＢＭＳ  ＧＷがＩＰ−ＭＢに直接にアタッチされる場合に、このレイヤＩＤ表示方法は、マルチキャスト・ルーティング・プロトコル（例えばＰＩＭ−ＳＭ）が通常それぞれ異なるマルチキャスト・グループへアドレス指定される個別のストリームとしてＩＰ−ＭＢ上のレイヤへ転送されるので、幾分単純になる。ＭＢＭＳ  ＧＷがこのような方法でメディアストリームを受信しない場合に、ＧＴＰトンネリングが用いられうる。
【００５４】
トランスポート・ネットワーク上の送信はユニキャスト又はＩＰマルチキャストの何れかでありうる。しかしながら、適用される方法は、アクセス部にどの送信モードが用いられるかに強く依存する。ＭＢＳＦＮ送信モードではＩＰマルチキャストが用いられうる。これは、単純なユニキャスト送信と比較して、トランスポートに関するリソースを事業者が節約することを可能にする。ＰＴＭモードが用いられる場合には、ユニキャスト送信とマルチキャスト送信との何れかが適用されうる。ハイブリッド・モードでは、基本レイヤ（群）は（ＭＢＳＦＮのために）マルチキャストされうるが、上位レイヤはユニキャスト又はマルチキャストから選ばれうる。
【図１】
2011501610.tif 000003
【図２】
2011501610.tif 000004
【図３】
2011501610.tif 000005
【図４】
2011501610.tif 000006
【図５】
2011501610.tif 000007
【図６】
2011501610.tif 000008
【手続補正書】
【提出日】平成21年8月24日(2009.8.24)
【手続補正１】
【補正対象書類名】特許請求の範囲
【補正対象項目名】全文
【補正方法】変更
【補正の内容】
【特許請求の範囲】
【請求項１】
マルチメディア・ブロードキャスト・マルチキャスト・サービス（ＭＢＭＳ）データを送信する発展型ユニバーサル地上無線アクセス・ネットワーク（Ｅ−ＵＴＲＡＮ）システム（２００）であって、
‐下位レイヤと複数の上位拡張レイヤとを含むレイヤ構造のデータとして前記ＭＢＭＳデータを送信する手段（２０１）と、
−ユーザ機器（２０３）が前記レイヤ構造のＭＢＭＳデータを再構築することを可能にする、同一のＭＢＭＳサービスに属する相異なる複数のレイヤの送信を結合するシグナリングを含む制御情報を送信するシグナリング手段（２０２）と
を備えることを特徴とするシステム（２００）。
【請求項２】
送信されるデータが属するレイヤを示すためのエンティティ（２０２）をさらに備えることを特徴とする請求項１又は２に記載のシステム。
【請求項３】
送信されるデータが属するレイヤを示すための前記エンティティは、ＭＢＭＳポイント・ツー・マルチポイント制御チャネル（ＭＣＣＨ）上で表示を送信するように構成されることを特徴とする請求項３に記載のシステム。
【請求項４】
送信されるデータが属するレイヤを示すための前記エンティティは、Ｌ１／Ｌ２制御シグナリングを介して表示を送信するように構成されることを特徴とする請求項３に記載のシステム。
【請求項５】
送信されるデータが属するレイヤを示すための前記エンティティは、媒体アクセス制御（ＭＡＣ）ヘッダ内で表示を送信するように構成されることを特徴とする請求項３に記載のシステム。
【請求項６】
前記ＵＥ（２０３）は、チャネル品質に関するフィードバック情報を送信するように構成されることを特徴とする請求項１乃至６の何れか１項に記載のシステム。
【請求項７】
前記システムは、前記ＵＥから受信された前記チャネル品質に関する情報に基づいてトランスポート・フォーマットを選択するように構成されることを特徴とする請求項７に記載のシステム。
【請求項８】
前記システムは、トランスポート・フォーマットを選択する際に通常のハンドオーバ測定値報告を入力情報として用いるように構成されることを特徴とする請求項８に記載のシステム。
【請求項９】
前記システムは、前記ＭＢＭＳデータの相異なる複数のレイヤを送信するために、相異なる複数のトランスポート・フォーマットと相異なる複数の送信電力との少なくとも一方を用いるように構成されることを特徴とする請求項１乃至９の何れか１項に記載のシステム。
【請求項１０】
前記システムは、下位メディア・レイヤよりも低い電力で上位メディア・レイヤを送信するように構成されることを特徴とする請求項１０に記載のシステム。
【請求項１１】
前記システムがマルチブロードキャスト単一周波数ネットワーク（ＭＢＳＦＮ）の送信モードにおいて構成される場合に、前記システムは所与のＭＢＳＦＮエリアにおいてＭＢＳＦＮモードで前記ＭＢＭＳデータの基本レイヤ又は下位レイヤを送信するように構成されることを特徴とする請求項１乃至１１の何れか１項に記載のシステム。
【請求項１２】
前記システムは、フィードバックあり又はなしの単一セル・ポイント・ツー・マルチポイント（ＰＴＭ）モードで上位レイヤ・メディア・コンポーネントを送信するように構成されることを特徴とする請求項１２に記載のシステム。
【請求項１３】
前記システムは、所与の基地局におけるトラヒック負荷と、ＵＥフィードバック情報と、隣接セルへ与える干渉との少なくとも何れかに基づいて、単一セル・ポイント・ツー・マルチポイント（ＰＴＭ）モードで上位レイヤ・メディア・コンポーネントを送信するように構成されることを特徴とする請求項１３に記載のシステム。
【請求項１４】
前記システムは、基地局間の交渉を介して又は中央ＭＢＭＳ制御（ＭＣＥ）エンティティからの調整を介して、過度の干渉を回避するために、隣接セルにおけるＰＴＭ割り当てを調整するように構成されることを特徴とする請求項１３又は１４に記載のシステム。
【請求項１５】
発展型ユニバーサル地上無線アクセス・ネットワーク（Ｅ−ＵＴＲＡＮ）システム（２００）においてマルチメディア・ブロードキャスト・マルチキャスト・サービス（ＭＢＭＳ）データを送信する方法であって、
‐下位レイヤと複数の上位拡張レイヤとを含むレイヤ構造のデータとして前記ＭＢＭＳデータを送信するステップ（２０５，２０７）と、
−ユーザ機器（２０３）が前記レイヤ構造のＭＢＭＳデータを再構築することを可能にする、、同一のＭＢＭＳサービスに属する相異なる複数のレイヤの送信を結合するシグナリングを含む前記システムからの制御情報をシグナリングするステップ（２０５，２０７）と
を有することを特徴とする方法。
【請求項１６】
送信されるデータが属するレイヤを示すデータが送信されることを特徴とする請求項１６又は１７に記載の方法。
【請求項１７】
送信されるデータが属するレイヤを示す表示が、ＭＢＭＳポイント・ツー・マルチポイント制御チャネル（ＭＣＣＨ）上で送信されることを特徴とする請求項１８に記載の方法。
【請求項１８】
送信されるデータが属するレイヤを示す表示が、Ｌ１／Ｌ２制御シグナリングを介して送信されることを特徴とする請求項１８に記載の方法。
【請求項１９】
送信されるデータが属するレイヤを示す表示が、媒体アクセス制御（ＭＡＣ）ヘッダ内で送信されることを特徴とする請求項１８に記載の方法。
【請求項２０】
チャネル品質に関するフィードバック情報が前記ＵＥから前記システムへ送信されることを特徴とする請求項１６乃至２１の何れか１項に記載の方法。
【請求項２１】
前記ＵＥから受信された前記チャネル品質に関する情報に基づいてトランスポート・フォーマットが選択されることを特徴とする請求項２２に記載の方法。
【請求項２２】
トランスポート・フォーマットを選択する際に通常のハンドオーバ測定値報告が入力情報として用いられることを特徴とする請求項２３に記載の方法。
【請求項２３】
前記ＭＢＭＳデータの相異なる複数のレイヤを送信するために、相異なる複数のトランスポート・フォーマットと相異なる複数の送信電力との少なくとも一方が用いられることを特徴とする請求項１６乃至２４の何れか１項に記載の方法。
【請求項２４】
下位メディア・レイヤよりも低い電力で上位メディア・レイヤが送信されることを特徴とする請求項２５に記載の方法。
【請求項２５】
前記システムがマルチブロードキャスト単一周波数ネットワーク（ＭＢＳＦＮ）の送信モードにおいて構成される場合に、所与のＭＢＳＦＮエリアにおいてＭＢＳＦＮモードで前記ＭＢＭＳデータの基本レイヤ又は下位レイヤが送信されることを特徴とする請求項１６乃至２６の何れか１項に記載の方法。
【請求項２６】
フィードバックあり又はなしの単一セル・ポイント・ツー・マルチポイント（ＰＴＭ）モードで上位レイヤ・メディア・コンポーネントが送信されることを特徴とする請求項２７に記載の方法。
【請求項２７】
基地局についての現在のトラヒック負荷と、ＵＥフィードバック情報と、隣接セルへ与える干渉との少なくとも何れかに基づいて、単一セル・ポイント・ツー・マルチポイント（ＰＴＭ）モードで上位レイヤ・メディア・コンポーネントが送信されることを特徴とする請求項２８に記載の方法。
【請求項２８】
基地局間の交渉を介して又は中央ＭＢＭＳ制御（ＭＣＥ）エンティティからの調整を介して、過度の干渉を回避するために、隣接セルにおけるＰＴＭ割り当てが調整されることを特徴とする請求項２８又は２９に記載の方法。
【請求項２９】
マルチメディア・ブロードキャスト・マルチキャスト・サービス（ＭＢＭＳ）データを送信する発展型ユニバーサル地上無線アクセス・ネットワーク（Ｅ−ＵＴＲＡＮ）システムで用いる基地局（２０１）であって、
‐下位レイヤと複数の上位拡張レイヤとを含むレイヤ構造のデータとして前記ＭＢＭＳデータを送信する手段（２０１）と、
−ユーザ機器が前記レイヤ構造のＭＢＭＳデータを再構築することを可能にするる、同一のＭＢＭＳサービスに属する相異なる複数のレイヤの送信を結合するシグナリングを含む制御情報を送信するシグナリング手段（２０２）と
を備えることを特徴とする基地局（２０１）。
【請求項３０】
送信されるデータが属するレイヤを示すためのエンティティをさらに備えることを特徴とする請求項３１又は３２に記載の基地局。
【請求項３１】
送信されるデータが属するレイヤを示すための前記エンティティは、ＭＢＭＳポイント・ツー・マルチポイント制御チャネル（ＭＣＣＨ）上で表示を送信するように構成されることを特徴とする請求項３３に記載の基地局。
【請求項３２】
送信されるデータが属するレイヤを示すための前記エンティティは、Ｌ１／Ｌ２制御シグナリングを介して表示を送信するように構成されることを特徴とする請求項３３に記載の基地局。
【請求項３３】
送信されるデータが属するレイヤを示すための前記エンティティは、媒体アクセス制御（ＭＡＣ）ヘッダ内で表示を送信するように構成されることを特徴とする請求項３３に記載の基地局。
【請求項３４】
前記基地局は、前記Ｅ−ＵＴＲＡＮシステム内のＵＥからチャネル品質に関するフィードバック情報を受信するように構成されることを特徴とする請求項３１乃至３６の何れか１項に記載の基地局。
【請求項３５】
前記基地局は、前記ＵＥから受信された前記チャネル品質に関する情報に基づいてトランスポート・フォーマットを選択するように構成されることを特徴とする請求項３７に記載の基地局。
【請求項３６】
前記基地局は、トランスポート・フォーマットを選択する際に通常のハンドオーバ測定値報告を入力情報として用いるように構成されることを特徴とする請求項３８に記載の基地局。
【請求項３７】
前記基地局は、前記ＭＢＭＳデータの相異なる複数のレイヤを送信するために、相異なる複数のトランスポート・フォーマットと相異なる複数の送信電力との少なくとも一方を用いるように構成されることを特徴とする請求項３１乃至３９の何れか１項に記載の基地局。
【請求項３８】
前記基地局は、下位メディア・レイヤよりも低い電力で上位メディア・レイヤを送信するように構成されることを特徴とする請求項４０に記載の基地局。
【請求項３９】
前記システムがマルチブロードキャスト単一周波数ネットワーク（ＭＢＳＦＮ）の送信モードにおいて構成される場合に、前記基地局は所与のＭＢＳＦＮエリアにおいてＭＢＳＦＮモードで前記ＭＢＭＳデータの基本レイヤ又は下位レイヤを送信するように構成されることを特徴とする請求項３１乃至４１の何れか１項に記載の基地局。
【請求項４０】
前記基地局は、フィードバックあり又はなしの単一セル・ポイント・ツー・マルチポイント（ＰＴＭ）モードで上位レイヤ・メディア・コンポーネントを送信するように構成されることを特徴とする請求項４２に記載の基地局。
【請求項４１】
前記基地局は、所与の基地局におけるトラヒック負荷と、ＵＥフィードバック情報と、隣接セルへ与える干渉との少なくとも何れかに基づいて、単一セル・ポイント・ツー・マルチポイント（ＰＴＭ）モードで上位レイヤ・メディア・コンポーネントを送信するように構成されることを特徴とする請求項４３に記載の基地局。
【請求項４２】
前記基地局は、基地局間の交渉を介して又は中央ＭＢＭＳ制御（ＭＣＥ）エンティティからの調整を介して、過度の干渉を回避するために、隣接セルにおけるＰＴＭ割り当てを調整するように構成されることを特徴とする請求項４３又は４４に記載の基地局。
【請求項４３】
マルチメディア・ブロードキャスト・マルチキャスト・サービス（ＭＢＭＳ）データを送信する発展型ユニバーサル地上無線アクセス・ネットワーク（Ｅ−ＵＴＲＡＮ）システムで用いるユーザ機器（２０３）であって、
‐下位レイヤと複数の上位拡張レイヤとを含むレイヤ構造のデータとして前記ＭＢＭＳデータを受信する手段（２０３）と、
−前記ユーザ機器（ＵＥ）が前記レイヤ構造のＭＢＭＳデータを再構築することを可能にする、同一のＭＢＭＳサービスに属する相異なる複数のレイヤの送信を結合するシグナリングを含む制御情報を受信する手段（２０３）と
を備えることを特徴とするユーザ機器（２０３）。
【請求項４４】
ＵＥは、送信されるデータが属するレイヤを示す表示を、ＭＢＭＳポイント・ツー・マルチポイント制御チャネル（ＭＣＣＨ）上で受信するように構成されることを特徴とする請求項４６又は４７に記載のユーザ機器。
【請求項４５】
ＵＥは、送信されるデータが属するレイヤを示す表示を、Ｌ１／Ｌ２制御シグナリングを介して受信するように構成されることを特徴とする請求項４６又は４７に記載のユーザ機器。
【請求項４６】
ＵＥは、送信されるデータが属するレイヤを示す表示を、媒体アクセス制御（ＭＡＣ）ヘッダ内で受信するように構成されることを特徴とする請求項４６又は４７に記載のユーザ機器。
【請求項４７】
前記ＵＥは、チャネル品質に関するフィードバック情報を送信するように構成されることを特徴とする請求項４６乃至５０の何れか１項に記載のユーザ機器。
【請求項４８】
前記システムがマルチブロードキャスト単一周波数ネットワーク（ＭＢＳＦＮ）の送信モードにおいて構成される場合に、前記ユーザ機器は所与のＭＢＳＦＮエリアにおいてＭＢＳＦＮモードで前記ＭＢＭＳデータの基本レイヤ又は下位レイヤを受信するように構成されることを特徴とする請求項４６乃至５１の何れか１項に記載のユーザ機器。
【請求項４９】
前記ユーザ機器は、フィードバックあり又はなしの単一セル・ポイント・ツー・マルチポイント（ＰＴＭ）モードで上位レイヤ・メディア・コンポーネントを受信するように構成されることを特徴とする請求項５２に記載のユーザ機器。
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
マルチメディア・ブロードキャスト・マルチキャスト・サービス（ＭＢＭＳ）データを送信する発展型ユニバーサル地上無線アクセス・ネットワーク（Ｅ−ＵＴＲＡＮ）システム（２００）であって、
‐下位レイヤと複数の上位拡張レイヤとを含むレイヤ構造のデータとして前記ＭＢＭＳデータを送信する手段（２０１）と、
−ユーザ機器（２０３）が前記レイヤ構造のＭＢＭＳデータを再構築することを可能にする、同一のＭＢＭＳサービスに属する相異なる複数のレイヤの送信を結合するシグナリングを含む制御情報を送信するシグナリング手段（２０２）と
を備えることを特徴とするシステム（２００）。
【請求項２】
送信されるデータが属するレイヤを示すためのエンティティ（２０２）をさらに備えることを特徴とする請求項１に記載のシステム。
【請求項３】
送信されるデータが属するレイヤを示すための前記エンティティは、ＭＢＭＳポイント・ツー・マルチポイント制御チャネル（ＭＣＣＨ）上で表示を送信するように構成されることを特徴とする請求項２に記載のシステム。
【請求項４】
送信されるデータが属するレイヤを示すための前記エンティティは、Ｌ１／Ｌ２制御シグナリングを介して表示を送信するように構成されることを特徴とする請求項２に記載のシステム。
【請求項５】
送信されるデータが属するレイヤを示すための前記エンティティは、媒体アクセス制御（ＭＡＣ）ヘッダ内で表示を送信するように構成されることを特徴とする請求項２に記載のシステム。
【請求項６】
前記ＵＥ（２０３）は、チャネル品質に関するフィードバック情報を送信するように構成されることを特徴とする請求項１乃至５の何れか１項に記載のシステム。
【請求項７】
前記システムは、前記ＵＥから受信された前記チャネル品質に関する情報に基づいてトランスポート・フォーマットを選択するように構成されることを特徴とする請求項６に記載のシステム。
【請求項８】
前記システムは、トランスポート・フォーマットを選択する際に通常のハンドオーバ測定値報告を入力情報として用いるように構成されることを特徴とする請求項７に記載のシステム。
【請求項９】
前記システムは、前記ＭＢＭＳデータの相異なる複数のレイヤを送信するために、相異なる複数のトランスポート・フォーマットと相異なる複数の送信電力との少なくとも一方を用いるように構成されることを特徴とする請求項１乃至８の何れか１項に記載のシステム。
【請求項１０】
前記システムは、下位メディア・レイヤよりも低い電力で上位メディア・レイヤを送信するように構成されることを特徴とする請求項９に記載のシステム。
【請求項１１】
前記システムがマルチブロードキャスト単一周波数ネットワーク（ＭＢＳＦＮ）の送信モードにおいて構成される場合に、前記システムは所与のＭＢＳＦＮエリアにおいてＭＢＳＦＮモードで前記ＭＢＭＳデータの基本レイヤ又は下位レイヤを送信するように構成されることを特徴とする請求項１乃至１０の何れか１項に記載のシステム。
【請求項１２】
前記システムは、フィードバックあり又はなしの単一セル・ポイント・ツー・マルチポイント（ＰＴＭ）モードで上位レイヤ・メディア・コンポーネントを送信するように構成されることを特徴とする請求項１１に記載のシステム。
【請求項１３】
前記システムは、所与の基地局におけるトラヒック負荷と、ＵＥフィードバック情報と、隣接セルへ与える干渉との少なくとも何れかに基づいて、単一セル・ポイント・ツー・マルチポイント（ＰＴＭ）モードで上位レイヤ・メディア・コンポーネントを送信するように構成されることを特徴とする請求項１２に記載のシステム。
【請求項１４】
前記システムは、基地局間の交渉を介して又は中央ＭＢＭＳ制御（ＭＣＥ）エンティティからの調整を介して、過度の干渉を回避するために、隣接セルにおけるＰＴＭ割り当てを調整するように構成されることを特徴とする請求項１２又は１３に記載のシステム。
【請求項１５】
発展型ユニバーサル地上無線アクセス・ネットワーク（Ｅ−ＵＴＲＡＮ）システム（２００）においてマルチメディア・ブロードキャスト・マルチキャスト・サービス（ＭＢＭＳ）データを送信する方法であって、
‐下位レイヤと複数の上位拡張レイヤとを含むレイヤ構造のデータとして前記ＭＢＭＳデータを送信するステップ（２０５，２０７）と、
−ユーザ機器（２０３）が前記レイヤ構造のＭＢＭＳデータを再構築することを可能にする、、同一のＭＢＭＳサービスに属する相異なる複数のレイヤの送信を結合するシグナリングを含む前記システムからの制御情報をシグナリングするステップ（２０５，２０７）と
を有することを特徴とする方法。
【請求項１６】
送信されるデータが属するレイヤを示すデータが送信されることを特徴とする請求項１５に記載の方法。
【請求項１７】
送信されるデータが属するレイヤを示す表示が、ＭＢＭＳポイント・ツー・マルチポイント制御チャネル（ＭＣＣＨ）上で送信されることを特徴とする請求項１６に記載の方法。
【請求項１８】
送信されるデータが属するレイヤを示す表示が、Ｌ１／Ｌ２制御シグナリングを介して送信されることを特徴とする請求項１６に記載の方法。
【請求項１９】
送信されるデータが属するレイヤを示す表示が、媒体アクセス制御（ＭＡＣ）ヘッダ内で送信されることを特徴とする請求項１６に記載の方法。
【請求項２０】
チャネル品質に関するフィードバック情報が前記ＵＥから前記システムへ送信されることを特徴とする請求項１５乃至１９の何れか１項に記載の方法。
【請求項２１】
前記ＵＥから受信された前記チャネル品質に関する情報に基づいてトランスポート・フォーマットが選択されることを特徴とする請求項２０に記載の方法。
【請求項２２】
トランスポート・フォーマットを選択する際に通常のハンドオーバ測定値報告が入力情報として用いられることを特徴とする請求項２１に記載の方法。
【請求項２３】
前記ＭＢＭＳデータの相異なる複数のレイヤを送信するために、相異なる複数のトランスポート・フォーマットと相異なる複数の送信電力との少なくとも一方が用いられることを特徴とする請求項１５乃至２２の何れか１項に記載の方法。
【請求項２４】
下位メディア・レイヤよりも低い電力で上位メディア・レイヤが送信されることを特徴とする請求項２３に記載の方法。
【請求項２５】
前記システムがマルチブロードキャスト単一周波数ネットワーク（ＭＢＳＦＮ）の送信モードにおいて構成される場合に、所与のＭＢＳＦＮエリアにおいてＭＢＳＦＮモードで前記ＭＢＭＳデータの基本レイヤ又は下位レイヤが送信されることを特徴とする請求項１５乃至２４の何れか１項に記載の方法。
【請求項２６】
フィードバックあり又はなしの単一セル・ポイント・ツー・マルチポイント（ＰＴＭ）モードで上位レイヤ・メディア・コンポーネントが送信されることを特徴とする請求項２５に記載の方法。
【請求項２７】
基地局についての現在のトラヒック負荷と、ＵＥフィードバック情報と、隣接セルへ与える干渉との少なくとも何れかに基づいて、単一セル・ポイント・ツー・マルチポイント（ＰＴＭ）モードで上位レイヤ・メディア・コンポーネントが送信されることを特徴とする請求項２６に記載の方法。
【請求項２８】
基地局間の交渉を介して又は中央ＭＢＭＳ制御（ＭＣＥ）エンティティからの調整を介して、過度の干渉を回避するために、隣接セルにおけるＰＴＭ割り当てが調整されることを特徴とする請求項２６又は２７に記載の方法。
【請求項２９】
マルチメディア・ブロードキャスト・マルチキャスト・サービス（ＭＢＭＳ）データを送信する発展型ユニバーサル地上無線アクセス・ネットワーク（Ｅ−ＵＴＲＡＮ）システムで用いる基地局（２０１）であって、
‐下位レイヤと複数の上位拡張レイヤとを含むレイヤ構造のデータとして前記ＭＢＭＳデータを送信する手段（２０１）と、
−ユーザ機器が前記レイヤ構造のＭＢＭＳデータを再構築することを可能にする、同一のＭＢＭＳサービスに属する相異なる複数のレイヤの送信を結合するシグナリングを含む制御情報を送信するシグナリング手段（２０２）と
を備えることを特徴とする基地局（２０１）。
【請求項３０】
送信されるデータが属するレイヤを示すためのエンティティをさらに備えることを特徴とする請求項２９に記載の基地局。
【請求項３１】
送信されるデータが属するレイヤを示すための前記エンティティは、ＭＢＭＳポイント・ツー・マルチポイント制御チャネル（ＭＣＣＨ）上で表示を送信するように構成されることを特徴とする請求項３０に記載の基地局。
【請求項３２】
送信されるデータが属するレイヤを示すための前記エンティティは、Ｌ１／Ｌ２制御シグナリングを介して表示を送信するように構成されることを特徴とする請求項３０に記載の基地局。
【請求項３３】
送信されるデータが属するレイヤを示すための前記エンティティは、媒体アクセス制御（ＭＡＣ）ヘッダ内で表示を送信するように構成されることを特徴とする請求項３０に記載の基地局。
【請求項３４】
前記基地局は、前記Ｅ−ＵＴＲＡＮシステム内のＵＥからチャネル品質に関するフィードバック情報を受信するように構成されることを特徴とする請求項２９乃至３３の何れか１項に記載の基地局。
【請求項３５】
前記基地局は、前記ＵＥから受信された前記チャネル品質に関する情報に基づいてトランスポート・フォーマットを選択するように構成されることを特徴とする請求項３４に記載の基地局。
【請求項３６】
前記基地局は、トランスポート・フォーマットを選択する際に通常のハンドオーバ測定値報告を入力情報として用いるように構成されることを特徴とする請求項３５に記載の基地局。
【請求項３７】
前記基地局は、前記ＭＢＭＳデータの相異なる複数のレイヤを送信するために、相異なる複数のトランスポート・フォーマットと相異なる複数の送信電力との少なくとも一方を用いるように構成されることを特徴とする請求項２９乃至３６の何れか１項に記載の基地局。
【請求項３８】
前記基地局は、下位メディア・レイヤよりも低い電力で上位メディア・レイヤを送信するように構成されることを特徴とする請求項３７に記載の基地局。
【請求項３９】
前記システムがマルチブロードキャスト単一周波数ネットワーク（ＭＢＳＦＮ）の送信モードにおいて構成される場合に、前記基地局は所与のＭＢＳＦＮエリアにおいてＭＢＳＦＮモードで前記ＭＢＭＳデータの基本レイヤ又は下位レイヤを送信するように構成されることを特徴とする請求項２９乃至３８の何れか１項に記載の基地局。
【請求項４０】
前記基地局は、フィードバックあり又はなしの単一セル・ポイント・ツー・マルチポイント（ＰＴＭ）モードで上位レイヤ・メディア・コンポーネントを送信するように構成されることを特徴とする請求項３９に記載の基地局。
【請求項４１】
前記基地局は、所与の基地局におけるトラヒック負荷と、ＵＥフィードバック情報と、隣接セルへ与える干渉との少なくとも何れかに基づいて、単一セル・ポイント・ツー・マルチポイント（ＰＴＭ）モードで上位レイヤ・メディア・コンポーネントを送信するように構成されることを特徴とする請求項４０に記載の基地局。
【請求項４２】
前記基地局は、基地局間の交渉を介して又は中央ＭＢＭＳ制御（ＭＣＥ）エンティティからの調整を介して、過度の干渉を回避するために、隣接セルにおけるＰＴＭ割り当てを調整するように構成されることを特徴とする請求項４０又は４１に記載の基地局。
【請求項４３】
マルチメディア・ブロードキャスト・マルチキャスト・サービス（ＭＢＭＳ）データを送信する発展型ユニバーサル地上無線アクセス・ネットワーク（Ｅ−ＵＴＲＡＮ）システムで用いるユーザ機器（２０３）であって、
‐下位レイヤと複数の上位拡張レイヤとを含むレイヤ構造のデータとして前記ＭＢＭＳデータを受信する手段（２０３）と、
−前記ユーザ機器（ＵＥ）が前記レイヤ構造のＭＢＭＳデータを再構築することを可能にする、同一のＭＢＭＳサービスに属する相異なる複数のレイヤの送信を結合するシグナリングを含む制御情報を受信する手段（２０３）と
を備えることを特徴とするユーザ機器（２０３）。
【請求項４４】
ＵＥは、送信されるデータが属するレイヤを示す表示を、ＭＢＭＳポイント・ツー・マルチポイント制御チャネル（ＭＣＣＨ）上で受信するように構成されることを特徴とする請求項４３に記載のユーザ機器。
【請求項４５】
ＵＥは、送信されるデータが属するレイヤを示す表示を、Ｌ１／Ｌ２制御シグナリングを介して受信するように構成されることを特徴とする請求項４３に記載のユーザ機器。
【請求項４６】
ＵＥは、送信されるデータが属するレイヤを示す表示を、媒体アクセス制御（ＭＡＣ）ヘッダ内で受信するように構成されることを特徴とする請求項４３に記載のユーザ機器。
【請求項４７】
前記ＵＥは、チャネル品質に関するフィードバック情報を送信するように構成されることを特徴とする請求項４３乃至４６の何れか１項に記載のユーザ機器。
【請求項４８】
前記システムがマルチブロードキャスト単一周波数ネットワーク（ＭＢＳＦＮ）の送信モードにおいて構成される場合に、前記ユーザ機器は所与のＭＢＳＦＮエリアにおいてＭＢＳＦＮモードで前記ＭＢＭＳデータの基本レイヤ又は下位レイヤを受信するように構成されることを特徴とする請求項４３乃至４７の何れか１項に記載のユーザ機器。
【請求項４９】
前記ユーザ機器は、フィードバックあり又はなしの単一セル・ポイント・ツー・マルチポイント（ＰＴＭ）モードで上位レイヤ・メディア・コンポーネントを受信するように構成されることを特徴とする請求項４８に記載のユーザ機器。
【国際調査報告】
2011501610.tif 000009
2011501610.tif 000010
2011501610.tif 000011
2011501610.tif 000012